(57)【要約】      （修正有）【課題】排水口の開閉状態の切換えに関し、使用者にとっての利便性を飛躍的に高めることができる排水栓システムを提供する。【解決手段】排水栓システム１は、栓蓋を移動させるためのモータ３２１の動作を制御可能な制御部５３と、開放時刻情報及び閉鎖時刻情報を記憶する記憶部５２と、記憶部５２に対し開放時刻情報及び閉鎖時刻情報を入力して記憶させることが可能な入力装置６とを有する。制御部５３は、開放時刻情報に対応する時刻となったときにモータ３２１を制御して排水口を開状態とすることが可能である一方、閉鎖時刻情報に対応する時刻となったときにモータ３２１を制御して排水口を閉状態とすることが可能である。これにより、浴槽への貯水や浴槽からの排水を行う都度、排水口の開閉状態を切換えるための操作を行う必要がなくなる等の作用効果が得られ、利便性を飛躍的に高めることができる。【選択図】図４
2020133135.tif 000002
【特許請求の範囲】
【請求項１】
浴槽に形成された排水口を開閉するための栓蓋と、
通電により動作可能な通電動作部を有し、当該通電動作部の動作により前記栓蓋を上下動させて前記排水口の開閉状態を切換可能な駆動部とを備えた排水栓システムであって、
前記通電動作部の動作を制御可能な制御手段と、
開放時刻情報及び閉鎖時刻情報を記憶する記憶手段と、
前記記憶手段に対し前記開放時刻情報及び前記閉鎖時刻情報を入力して記憶させることが可能な入力手段とを有し、
前記制御手段は、前記記憶手段に記憶された前記開放時刻情報に対応する時刻となったときに、前記通電動作部を制御して前記排水口を開状態とすることが可能である一方、前記記憶手段に記憶された前記閉鎖時刻情報に対応する時刻となったときに、前記通電動作部を制御して前記排水口を閉状態とすることが可能に構成されていることを特徴とする排水栓システム。
【請求項２】
前記浴槽又は前記浴槽の設置される浴室に対し所定の動作を行うシステムとは別に独立して設けられることを特徴とする請求項１に記載の排水栓システム。
【請求項３】
前記記憶手段は、複数の曜日情報と、各曜日情報に対応する前記開放時刻情報及び前記閉鎖時刻情報とを関連付けて記憶可能であり、
前記制御手段は、前記記憶手段に記憶された前記曜日情報に対応する曜日において、当該曜日情報に関連付けられて前記記憶手段に記憶された前記開放時刻情報に対応する時刻となったときに、前記通電動作部を制御して前記排水口を開状態とすることが可能である一方、当該曜日情報に関連付けられて前記記憶手段に記憶された前記閉鎖時刻情報に対応する時刻となったときに、前記通電動作部を制御して前記排水口を閉状態とすることが可能に構成されていることを特徴とする請求項１又は２に記載の排水栓システム。
【請求項４】
前記入力手段は、前記制御手段によって、前記記憶手段に記憶された前記開放時刻情報及び前記閉鎖時刻情報に基づき前記通電動作部を制御する機能の有効又は無効を切換えるための切換入力部を備えることを特徴とする請求項１乃至３のいずれか１項に記載の排水栓システム。
【発明の詳細な説明】
【技術分野】
【０００１】
本発明は、槽体の排水口に対応して設けられる栓蓋を動作させる排水栓システムに関する。
【背景技術】
【０００２】
浴槽の排水口に対応して設けられた栓蓋と、変位可能な操作部材（例えば往復移動可能な操作ボタンなど）と、当該操作部材の変位による駆動力を栓蓋へと伝達することで栓蓋を上下動させる伝達部材（例えばワイヤ等）とを備えてなる手動式の排水栓装置が知られている。このような排水栓装置では、操作部材に対する手動操作により、栓蓋が上下動され、ひいては排水口の開閉状態が切換えられる。
【０００３】
また、排水栓装置としては、操作部材に代えて又は加えて、通電により動作可能な通電動作部（例えばモータ等）を備え、当該通電動作部の動作により栓蓋を上下動可能に構成された電動式の排水栓装置が知られている（例えば、特許文献１等参照）。このような電動式の排水栓装置では、所定の入力装置（例えば押しボタン）に対する操作に伴い通電動作部へと電力が供給され、その結果、排水口の開閉状態が切換えられることとなる。
【先行技術文献】
【特許文献】
【０００４】
【特許文献１】特開２０１４−９８２３６号公報
【発明の概要】
【発明が解決しようとする課題】
【０００５】
ところで、排水栓装置が手動式であっても電動式であっても、浴槽へと水を溜めようとしたり浴槽から水を排出しようとしたりすべく、排水口の開閉状態を切換えるときには、使用者による操作部材や入力装置に対する操作が必要となる。操作部材や入力装置に対する１回の操作自体は比較的容易であるかも知れないが、浴槽への貯水や浴槽からの排水などを行う都度このような操作を行わなければならないことは、使用者にとって非常に面倒である。
【０００６】
また、使用者による操作部材等への操作により排水口の開閉状態が切換えられる構成では、使用者が排水口の開閉状態を切換えることを失念していたり見間違いや勘違いにより排水口の開閉状態を誤って認識していたりすることによって、各種不具合が発生してしまう可能性がある。不具合としては、例えば、誤って排水口を開状態としたまま浴槽に水を供給してしまい、多量の水を無駄にしてしまうことや、排水口を開状態とし忘れて既に水が溜まっている浴槽へと水をさらに供給してしまうことなどを挙げることができる。
【０００７】
本発明は、上記事情に鑑みてなされたものであり、その目的は、排水口の開閉状態の切換えに関し、使用者にとっての利便性を飛躍的に高めることができる排水栓システムを提供することにある。
【課題を解決するための手段】
【０００８】
以下、上記目的を解決するのに適した各手段につき、項分けして説明する。なお、必要に応じて対応する手段に特有の作用効果を付記する。
【０００９】
手段１．浴槽に形成された排水口を開閉するための栓蓋と、
通電により動作可能な通電動作部を有し、当該通電動作部の動作により前記栓蓋を上下動させて前記排水口の開閉状態を切換可能な駆動部とを備えた排水栓システムであって、
前記通電動作部の動作を制御可能な制御手段と、
開放時刻情報及び閉鎖時刻情報を記憶する記憶手段と、
前記記憶手段に対し前記開放時刻情報及び前記閉鎖時刻情報を入力して記憶させることが可能な入力手段とを有し、
前記制御手段は、前記記憶手段に記憶された前記開放時刻情報に対応する時刻となったときに、前記通電動作部を制御して前記排水口を開状態とすることが可能である一方、前記記憶手段に記憶された前記閉鎖時刻情報に対応する時刻となったときに、前記通電動作部を制御して前記排水口を閉状態とすることが可能に構成されていることを特徴とする排水栓システム。
【００１０】
上記手段１によれば、開放時刻情報に対応する時刻となったときに排水口を自動的に開状態とすることができるとともに、閉鎖時刻情報に対応する時刻となったときに排水口を自動的に閉状態とすることができる。従って、浴槽への貯水や浴槽からの排水を行う都度、排水口の開閉状態を切換えるための操作を使用者が行う必要がなくなる。また、時刻に応じて排水口の開閉状態を設定可能となるため、浴槽に対する水の供給予定時や入浴予定時に対応する時間では排水口を閉状態とし、一方、これら以外の時間では排水口を開状態として浴槽から水を排出可能な状態とするといったことが可能となる。つまり、排水口の開閉状態を使用者にとって適切な（都合のよい）状態に自動的に切換えることができる。さらに、人為的なミスによって排水口の開閉状態が不適切な状態となってしまうこと（例えば、浴槽に対する水の供給時に排水口が開状態となっていること等）をより確実に防止できる。これらの結果、使用者にとっての利便性を飛躍的に高めることができる。
【００１１】
手段２．前記浴槽又は前記浴槽の設置される浴室に対し所定の動作を行うシステムとは別に独立して設けられることを特徴とする手段１に記載の排水栓システム。
【００１２】
尚、「浴槽又は浴槽の配置される浴室に対し動作を行うシステム」としては、例えば、給湯器システムや、浴室暖房、浴室乾燥又は浴槽洗浄などを行うためのシステム、これら動作を行うための複数の装置を包括して制御するためのＨＡコントロールシステムなどを挙げることができる。
【００１３】
上記手段２によれば、排水栓システムは、給湯器システム等のシステムとは別に独立して設けられる。そのため、給湯器システム等のシステムを交換することなく、既存の浴槽に対応して排水栓システムを追加設置することが容易に可能となる。また、排水栓システムに異常が生じた場合に、給湯器システム等のシステムをそのままにしつつ、排水栓システムに対し交換や修理などのメンテナンスを行うことができるため、非常に都合がよい。
【００１４】
手段３．前記記憶手段は、複数の曜日情報と、各曜日情報に対応する前記開放時刻情報及び前記閉鎖時刻情報とを関連付けて記憶可能であり、
前記制御手段は、前記記憶手段に記憶された前記曜日情報に対応する曜日において、当該曜日情報に関連付けられて前記記憶手段に記憶された前記開放時刻情報に対応する時刻となったときに、前記通電動作部を制御して前記排水口を開状態とすることが可能である一方、当該曜日情報に関連付けられて前記記憶手段に記憶された前記閉鎖時刻情報に対応する時刻となったときに、前記通電動作部を制御して前記排水口を閉状態とすることが可能に構成されていることを特徴とする手段１又は２に記載の排水栓システム。
【００１５】
上記手段３によれば、曜日ごとに異なる時刻で排水口を自動開閉させることができる。従って、使用者の生活スタイルにより合わせた適切な時刻に排水口の開閉を行うことが可能となる。例えば、比較的早い時刻に帰宅する曜日では、排水口の自動開閉が行われる時刻（開放時刻情報及び閉鎖時刻情報に対応する時刻）を比較的早いものとし、一方、比較的遅い時刻に帰宅する曜日では、排水口の自動開閉が行われる時刻を比較的遅いものとするといったことなどが可能となる。これにより、使用者にとっての利便性をより向上させることができる。
【００１６】
手段４．前記入力手段は、前記制御手段によって、前記記憶手段に記憶された前記開放時刻情報及び前記閉鎖時刻情報に基づき前記通電動作部を制御する機能の有効又は無効を切換えるための切換入力部を備えることを特徴とする手段１乃至３のいずれかに記載の排水栓システム。
【００１７】
上記手段４によれば、切換入力部に対する操作により、制御手段によって、記憶手段に記憶された開放時刻情報及び閉鎖時刻情報に基づき通電動作部を制御する機能の有効又は無効を切換えることができる。つまり、切換入力部に対する操作により、任意で排水口の自動開閉機能をオン又はオフとすることができる。従って、使用者の都合に応じて排水口の自動開閉機能を一時的に停止させること等が可能となり、利便性の更なる向上を図ることができる。
【図面の簡単な説明】
【００１８】
【図１】排水栓システムなどを簡略化して示す模式図である。
【図２】排水栓装置の一部破断正面図である。
【図３】電動操作装置の断面図である。
【図４】排水栓システムの概略構成を示すブロック図である。
【図５】記憶部に記憶された曜日情報並びに曜日情報に関連付けられた開放時刻情報及び閉鎖時刻情報を示す表である。
【図６】入力装置の模式図である。
【図７】自動開放時刻にて排水口が開状態となり、自動閉鎖時刻にて排水口が閉状態となることを示すためのタイミングチャートである。
【図８】手動により排水口の開閉状態を切換えることが可能であることを示すためのタイミングチャートである。
【発明を実施するための形態】
【００１９】
以下に、一実施形態について図面を参照しつつ説明する。図１は、浴室ユニット１００、浴室以外の部屋１２０（例えば、台所など）、及び、浴室ユニット１００及び部屋１２０などに対応して設けられる排水栓システム１等を簡略化して模式的に示す図である。排水栓システム１の説明に先立って、まず、浴室ユニット１００、及び、当該浴室ユニット１００に配置される浴槽１１０の概略構成について説明する。
【００２０】
浴室ユニット１００は、四方を囲む複数の側壁１０１及び各側壁１０１の上部に設けられた天井１０２を備えており、これらによって浴室１０３が形成されている。浴室１０３には、浴槽１１０や図示しないカウンタなどが配置されている。また、天井１０２には、天井１０２の裏側に配置された各種装置（例えば後述する開閉制御装置５）などを点検するための点検口（図示せず）が設けられており、当該点検口は、通常、所定のカバー（図示せず）で塞がれた状態となっている。但し、カバーを上へと押し上げることで、点検口からカバーを取外可能である。
【００２１】
浴槽１１０は、底壁部１１１と、当該底壁部１１１に立設された側壁部１１２と、当該側壁部１１２の上端から外側に向けて突出するフランジ部１１３とを備えている。フランジ部１１３には、取付孔１１４（図３参照）が貫通形成されており、当該取付孔１１４に対応して後述する電動操作装置３が設けられている。また、底壁部１１１には、排水口１１５が貫通形成されており、当該排水口１１５に対応して後述する排水栓装置２が設けられている。
【００２２】
次いで、排水栓システム１について説明する。排水栓システム１は、曜日ごとに設定された時刻で排水口１１５の開閉状態を自動的に切換える機能を有しており、排水栓装置２、電動操作装置３、伝達部材４、開閉制御装置５及び入力手段としての入力装置６を備えている。尚、本実施形態において、排水栓システム１は、浴槽１１０に対し水（湯）を供給する動作を行う給湯器システム１２１とは別に独立して設けられている。給湯器システム１２１は、所定のコントロールパネル１２２を有しており、当該コントロールパネル１２２に対する操作によって浴槽１１０に対する水（湯）の供給を制御可能である。
【００２３】
まず、排水栓装置２について説明する。排水栓装置２は、図２に示すように、排水口１１５に挿設された筒状の排水口部材２１と、排水口部材２１と接続され浴槽１１０からの排水の流路を構成する排水管２２と、上下動可能な支持軸２３１を有する支持軸機構２３と、支持軸２３１の先端部に取付けられた栓蓋２４とを備えている。
【００２４】
支持軸機構２３は、例えばばねにより構成され、支持軸２３１に対し下方（支持軸２３１の復動方向）に向けた付勢力を付与する戻り力付与部（図示せず）を備えている。また、支持軸２３１は、伝達部材４の他端部と接触可能となっており、伝達部材４の往動（電動操作装置３から排水栓装置２側への移動）に伴い、伝達部材４により持ち上げられることで往動（上動）する。
【００２５】
次に、電動操作装置３について説明する。電動操作装置３は、図３に示すように、ケース３１、駆動部としての駆動機構３２、操作軸機構３３、駆動力伝達部３４、操作ボタン３５及び開閉状態検知装置３６を備えている。
【００２６】
ケース３１は、駆動機構３２や操作軸機構３３等を収容するとともに、フランジ部１１３に対する電動操作装置３の取付部として機能する。ケース３１は、複数の筒状部品が直列的に連結されることで構成されており、中間に位置する筒状部品には、駆動機構３２の収容空間を形成する収容部３１１が設けられている。ケース３１は、その一端側外周に設けられた雄ねじ部３１２に対し所定のナット部材（図示せず）が螺着され、その一端に位置する鍔部３１３及び前記ナット部材によりフランジ部１１３を挟み込んだ状態とすることで、フランジ部１１３に取付けられている。
【００２７】
また、ケース３１の他端側には、長尺円筒状をなすガイドチューブ７の一端部が接続されている。ガイドチューブ７は、他端部が前記排水管２２に接続されており（図２参照）、伝達部材４を電動操作装置３側から排水栓装置２側に案内したり、ケース３１内に浸入した水を排水管２２側へと流したりするといった役割を有する。
【００２８】
駆動機構３２は、排水口１１５を電動開閉するための動力を発生させる機構である。駆動機構３２は、通電により動作可能なモータ３２１と、回転可能な回転体３２２と、当該回転体３２２の端面に設けられた押圧突起３２３とを備えている。本実施形態では、モータ３２１が通電動作部に相当する。また、本実施形態において、駆動機構３２は、回転体３２２の位置（回転角度）を検知するための位置検知センサ（図示せず）を備えており、当該位置検知センサによる検知結果が開閉制御装置５へと出力されるようになっている。
【００２９】
モータ３２１は、排水口１１５を電動開閉するための駆動源であり、開閉制御装置５からの電力供給により自身のモータ軸（図示せず）が回転する。回転体３２２は、モータ３２１の動作（前記モータ軸の回転）により回転する。尚、図３では、モータ３２１の動作による駆動力を回転体３２２へと伝達するための歯車などの図示を省略している。
【００３０】
押圧突起３２３は、回転体３２２の端面であって当該回転体３２２の回転軸からずれた位置に突出形成されている。押圧突起３２３は、回転体３２２の回転により上下方向に往復移動する。本実施形態では、往動（下動）する押圧突起３２３により駆動力伝達部３４の後述する被押圧部３４１が押圧され、後述する操作軸３３１が往動（下動）することで、排水口１１５の開閉状態が切換えられる。
【００３１】
また、本実施形態では、排水口１１５を開状態から閉状態へと切換える場合であっても、排水口１１５を閉状態から開状態へと切換える場合であっても、押圧突起３２３は同一方向にちょうど一回転するように構成されている。より詳しくは、押圧突起３２３は、常には（モータ３２１の非動作時には）上下方向に沿った移動範囲内における最上方位置である初期位置に配置されており、排水口１１５の開閉状態を切換える際には、回転体３２２の回転に伴い、前記初期位置から往動（下動）した後に前記初期位置まで復動（上動）するといった往復移動を行う。このような押圧突起３２３の動作は、開閉制御装置５により、前記位置検知センサからの出力に基づくモータ３２１の制御が行われることでなされる。
【００３２】
操作軸機構３３は、往復移動可能な操作軸３３１と、当該操作軸３３１をロックするためのロック機構３３２と、操作軸３３１に対し復動（上動）方向の付勢力を付与する付勢部３３３とを備えている。操作軸３３１の下端部は、伝達部材４の一端部と接触可能とされており、操作軸３３１の下動（往動）に伴い伝達部材４が往動（電動操作装置３側から排水栓装置２側に移動）する。付勢部３３３は、例えばばねにより構成されており、付勢部３３３から操作軸３３１へと付与された付勢力は、操作軸３３１を介して駆動力伝達部３４や操作ボタン３５へと伝達される。
【００３３】
駆動力伝達部３４は、電動操作（モータ３２１の動作）又は手動操作（操作ボタン３５に対する押圧操作）による駆動力を操作軸３３１へと伝達する。駆動力伝達部３４は、操作軸３３１及び操作ボタン３５間において両者と直列的に接続されている。また、駆動力伝達部３４の後端側（下端側）外周には、押圧突起３２３が回転しつつ往動（下動）するときに、当該押圧突起３２３によって押圧される被押圧部３４１が設けられている。
【００３４】
操作ボタン３５は、円板状の押しボタンによって構成されており、手動により排水口１１５の開閉状態を切換える際に押圧操作される。操作ボタン３５に対する押圧操作により、駆動力伝達部３４や操作軸３３１などが往動（下動）する。
【００３５】
開閉状態検知装置３６は、排水口１１５の開閉状態を検知するとともに、検知結果を開閉制御装置５へと出力する。開閉状態検知装置３６は、駆動力伝達部３４に取付けられた磁石３６１と、例えばホール素子等からなり、磁石３６１による磁気を検知するための第一磁気センサ３６２及び第二磁気センサ３６３とを備えている。尚、磁石３６１は、排水口１１５の開閉状態に応じて変位する部位に設けられていればよい。従って、磁石３６１を、例えば操作軸３３１や操作ボタン３５などに設けてもよい。
【００３６】
第一磁気センサ３６２及び第二磁気センサ３６３は、図示しない信号線を介して開閉制御装置５に接続されており、開閉制御装置５に対し、排水口１１５が開状態であることを示す開放信号と、排水口１１５が閉状態であることを示す閉鎖信号とを出力可能である。第一磁気センサ３６２及び第二磁気センサ３６３は、磁気の検知結果に応じて、一定の短時間毎に、開放信号又は閉鎖信号を開閉制御装置５へと出力する。
【００３７】
次に、伝達部材４について説明する。伝達部材４は、電動操作（モータ３２１の動作）又は手動操作（操作ボタン３５に対する押圧操作）により生じた、操作軸３３１の変位による駆動力を栓蓋２４側へと伝達するためのものである。伝達部材４は、例えば金属製のコアコイルや撚り線などによって構成されており、長尺筒状のチューブ部材８の内周に往復移動可能な状態で挿設されている。伝達部材４は、上記の通り、電動操作や手動操作に伴い、操作軸３３１が往動（下動）することで往動する。
【００３８】
本実施形態では、電動操作（モータ３２１の動作）又は手動操作（操作ボタン３５に対する押圧操作）により駆動力伝達部３４及び操作軸３３１が往動（下動）することで、伝達部材４が往動し、ひいては支持軸２３１が上動する。そして、支持軸２３１の上動に伴い、栓蓋２４が排水口部材２１から離間した状態となることで、排水口１１５が開状態となる。また、操作軸３３１が所定位置を越える位置まで往動すると、前記ロック機構３３２により、操作軸３３１が往動した状態でロックされる。その結果、支持軸２３１が上動した状態でロックされ、排水口１１５が開状態で維持される。尚、操作軸３３１のロックに伴い、操作ボタン３５や駆動力伝達部３４は往動（下動）した状態で維持される。
【００３９】
一方、この状態で電動操作又は手動操作により操作軸３３１を前記所定位置を越える位置まで往動（下動）させると、前記ロック機構による操作軸３３１のロックが解除されるとともに、支持軸機構２３の前記戻り力付与部からの付勢力によって支持軸２３１が復動（下動）する。そして、支持軸２３１の復動（下動）に伴い栓蓋２４が排水口部材２１へと接触することで、排水口１１５が閉状態とされる。また、前記戻り力付与部や前記付勢部３３３からの付勢力によって、伝達部材４や操作軸３３１、操作ボタン３５などが復動する。
【００４０】
次いで、開閉制御装置５について説明する。開閉制御装置５は、例えばＣＰＵやメモリ、入出力端子などを備えたマイコン等により構成されており、自身に入力された各種情報に応じてモータ３２１の動作を制御する。また、開閉制御装置５は、所定の電源（不図示）と接続されており、当該電源からの供給電力を利用して、図示しない給電線を介して電動操作装置３（特にモータ３２１）へと電力を供給可能である。開閉制御装置５は、天井１０２の上面に配置されており（図１参照）、図４に示すように、時計部５１、記憶手段としての記憶部５２及び制御手段としての制御部５３を備えている。
【００４１】
時計部５１は、現在の時刻及び曜日を把握するための時計として機能するものであり、本実施形態では開閉制御装置５に内蔵された時計機能を実現するためのＩＣによって構成されている。尚、時計部５１における時刻及び曜日を、入力装置６等によって調節・設定可能としてもよい。
【００４２】
記憶部５２は、複数の曜日情報と、各曜日情報に対応する開放時刻情報及び閉鎖時刻情報とを関連付けて記憶する（図５参照）。曜日情報は、日曜日、月曜日、火曜日、水曜日、木曜日、金曜日及び土曜日の計７種類である。開放時刻情報及び閉鎖時刻情報は、各曜日情報に対しそれぞれ１つずつ設定記憶されている。開放時刻情報は、電動操作装置３（特にモータ３２１）を制御して、排水口１１５を自動的に開状態とする動作を制御部５３によって実行する時刻を示す情報である。閉鎖時刻情報は、電動操作装置３（特にモータ３２１）を制御して、排水口１１５を自動的に閉状態とする動作を制御部５３によって実行する時刻を示す情報である。
【００４３】
さらに、記憶部５２は、有効・無効フラグ情報を記憶可能とされている。有効・無効フラグ情報は、制御部５３によって行われる、記憶部５２に記憶された曜日情報並びに開放時刻情報及び閉鎖時刻情報に基づき、モータ３２１の動作を制御して排水口１１５の開閉状態を自動的に切換える機能が有効であるか無効であるかを示すための識別情報である。つまり、有効・無効フラグ情報は、制御部５３による、曜日及び時刻に応じた排水口１１５の自動開閉機能が有効であるか無効であるかを示すための識別情報である。有効・無効フラグ情報としてオン情報が記憶部５２に記憶されている場合、制御部５３による排水口１１５の自動開閉機能は有効とされる。一方、有効・無効フラグ情報としてオフ情報が記憶部５２に記憶されている場合、制御部５３による排水口１１５の自動開閉機能は無効とされる。
【００４４】
尚、本実施形態では、入力装置６から開閉制御装置５へと後述する機能有効信号が入力されると、有効・無効フラグ情報としてオン情報が記憶部５２に記憶される。一方、入力装置６から開閉制御装置５へと後述する機能無効信号が入力されると、有効・無効フラグ情報として記憶部５２にオフ情報が記憶される。
【００４５】
制御部５３は、各種制御処理を行うものであり、例えば、電力の供給制御によりモータ３２１の動作を制御すること、時計部５１に基づき現在の曜日及び時刻を把握すること、記憶部５２における記憶内容を参照すること、及び、開閉状態検知装置３６から入力された閉鎖信号又は開放信号に基づき排水口１１５の開閉状態を把握すること等が可能である。また、制御部５３は、時計部５１から把握した現在の曜日及び時刻と、記憶部５２における曜日情報に対応する曜日及び当該曜日情報に関連付けられた開放時刻情報又は閉鎖時刻情報に対応する時刻とが一致するか否かを判断する機能を備えている。
【００４６】
そして、制御部５３は、有効・無効フラグ情報としてオン情報が記憶部５２に記憶されているときにおいて、時計部５１から把握される現在の曜日及び時刻が、記憶部５２に記憶された曜日情報に対応する曜日及び当該曜日情報に関連付けられた開放時刻情報に対応する時刻（「自動開放時刻」という）と一致すると判断した場合、所定の開放用動作を実行することで、排水口１１５を自動で開状態へと切換可能である。
【００４７】
開放用動作では、まず、開閉状態検知装置３６から入力される信号に基づき、排水口１１５の現在の開閉状態が把握される。具体的には、開閉状態検知装置３６から開放信号が入力されている場合、排水口１１５が開状態であると把握され、開閉状態検知装置３６から閉鎖信号が入力されている場合、排水口１１５が閉状態であると把握される。そして、排水口１１５が閉状態であるときには、前記位置検知センサからの出力を利用して、回転体３２２がちょうど１回転するようにモータ３２１へと電力が供給される。これにより、押圧突起３２３が上下方向に往復移動し、当該押圧突起３２３により被押圧部３４１が押圧されることで、排水口１１５が閉状態から開状態へと自動で切換えられる。一方、排水口１１５が既に開状態であるときには、モータ３２１に対する電力の供給は行われず、排水口１１５は開状態のままで維持される。尚、本実施形態では、前記位置検知センサからの出力に基づきモータ３２１に対する電力供給が制御されているが、モータ３２１に対し常に所定量の電力を供給する構成としてもよい。
【００４８】
また、制御部５３は、入力装置６の後述する開放用入力部６２１に対する操作に伴い、入力装置６から開閉制御装置５へと後述する開放要求信号が入力された場合、記憶部５２に記憶された有効・無効フラグ情報の種別によることなく、上記の開放用動作を実行する。すなわち、制御部５３は、開放用入力部６２１への操作があった場合、制御部５３による排水口１１５の自動開閉機能が有効であっても無効であっても、上記の開放用動作を実行する。
【００４９】
さらに、制御部５３は、有効・無効フラグ情報としてオン情報が記憶部５２に記憶されているときにおいて、時計部５１から把握される現在の曜日及び時刻が、記憶部５２に記憶された曜日情報に対応する曜日及び当該曜日情報に関連付けられた閉鎖時刻情報に対応する時刻（「自動閉鎖時刻」という）と一致すると判定した場合、所定の閉鎖用動作を実行することで、排水口１１５を自動で閉状態に切換可能である。
【００５０】
閉鎖用動作では、まず、開閉状態検知装置３６から入力される信号に基づき、排水口１１５の現在の開閉状態が把握される。そして、排水口１１５が開状態であるときには、前記位置検知センサからの出力を利用して、回転体３２２がちょうど１回転するようにモータ３２１へと電力が供給される。押圧突起３２３が上下方向に往復移動し、当該押圧突起３２３により被押圧部３４１が押圧されることで、排水口１１５が開状態から閉状態へと自動で切換えられる。一方、排水口１１５が既に閉状態であるときには、モータ３２１に対する電力の供給が行われず、排水口１１５は閉状態のままで維持される。
【００５１】
また、制御部５３は、入力装置６の後述する閉鎖用入力部６２２に対する操作に伴い、入力装置６から開閉制御装置５へと後述する閉鎖要求信号が入力された場合、記憶部５２に記憶された有効・無効フラグ情報の種別によることなく、上記の閉鎖用動作を実行する。すなわち、制御部５３は、閉鎖用入力部６２２への操作があった場合、制御部５３による排水口１１５の自動開閉機能が有効であっても無効であっても、上記の閉鎖用動作を実行する。
【００５２】
一方、有効・無効フラグ情報としてオフ情報が記憶部５２に記憶されているとき、制御部５３は、時計部５１から把握される現在の曜日及び時刻が、記憶部５２に記憶された曜日情報に対応する曜日及び当該曜日情報に関連付けられた自動開放時刻又は自動閉鎖時刻と一致する場合であっても、上述した開放用動作や閉鎖用動作を行わず、排水口１１５をそのままの開閉状態で維持する。
【００５３】
次いで、入力装置６について説明する。入力装置６は、開閉制御装置５に対し各種情報を入力するためのものであり、本実施形態では前記部屋１２０に設置されている。尚、入力装置６の設置場所は特に限定されるものではない。また、入力装置６を、複数設けてもよいし、持ち運び可能な装置としてもよい。さらに、入力装置６を、表示画面や入力手段（勿論、表示画面をタッチパネルにより構成することで、表示画面が入力手段を兼ねるものであってもよい）を有する通信可能な端末装置（例えばスマートフォンなど）によって構成してもよく、この場合、前記表示画面を次述する表示部６１として、前記入力手段を次述する入力部６２としてそれぞれ利用してもよい。
【００５４】
入力装置６は、図６に示すように、例えば液晶等からなる情報表示用の表示部６１と、複数の押しボタンを有してなる入力部６２とを備えている。入力装置６は、図示しない信号線によって開閉制御装置５との間で通信可能に構成されており、記憶部５２に記憶された各種情報を開閉制御装置５から受信したり、入力部６２への入力による信号を開閉制御装置５へと出力したりすることが可能となっている。尚、入力装置６及び開閉制御装置５間において無線通信可能に構成してもよい。
【００５５】
表示部６１は、開閉制御装置５から入力された各種情報を表示可能であり、本実施形態では、使用者の操作により、記憶部５２に記憶された曜日情報のうち選択された曜日情報に対応する曜日と、この選択された曜日情報に関連付けられた開放時刻情報及び閉鎖時刻情報に対応する各時刻（自動開放時刻及び自動閉鎖時刻）とを表示することができるようになっている。例えば、表示部６１では、「月曜日」といった複数の曜日情報のうちの選択された曜日情報に対応する曜日と、「６：００」といった当該曜日情報に関連付けられた開放時刻情報に対応する時刻（自動開放時刻）と、「１９：００」といった当該曜日情報に関連付けられた閉鎖時刻情報に対応する時刻（自動閉鎖時刻）とを表示することが可能である。尚、表示部６１において、全ての曜日情報に対応する曜日と、各曜日情報に関連付けられた全ての自動開放時刻及び自動閉鎖時刻とを表示可能としてもよい。また、表示部６１において、開閉制御装置５により把握された排水口１１５の現在の開閉状態に関する情報を表示可能に構成してもよい。
【００５６】
また、表示部６１では、記憶部５２における有効・無効フラグ情報に基づき、制御部５３による排水口１１５の自動開閉機能が有効であるか無効であるかについての情報（例えば、「有効」や「無効」といった文字等）も表示可能とされている。
【００５７】
入力部６２は、開放用入力部６２１、閉鎖用入力部６２２、開閉時刻入力部６２３及び切換入力部６２４を備えている。
【００５８】
開放用入力部６２１は、排水口１１５を開状態とする際に使用者によって操作（例えば押圧等）される入力部である。開放用入力部６２１は、例えば、「開」といった文字や排水口１１５が開状態となることを示す図形などの付された押しボタン等により構成されている。開放用入力部６２１が操作されると、入力装置６から開閉制御装置５に対し所定の開放要求信号が出力される。
【００５９】
閉鎖用入力部６２２は、排水口１１５を閉状態とする際に使用者によって操作（例えば押圧等）される入力部である。閉鎖用入力部６２２は、例えば、「閉」といった文字や排水口１１５が閉状態となることを示す図形などの付された押しボタン等により構成されている。閉鎖用入力部６２２が操作されると、入力装置６から開閉制御装置５に対し、所定の閉鎖要求信号が出力される。
【００６０】
開閉時刻入力部６２３は、記憶部５２に対し開放時刻情報及び閉鎖時刻情報を入力して記憶させるための入力部である。開閉時刻入力部６２３は、例えば「開閉時刻設定」といった文字などが付され、開放時刻情報及び閉鎖時刻情報の入力設定を開始する際に操作（例えば、押圧等）される入力部、例えば「＋」や「−」といった記号などが付され、開放時刻情報や閉鎖時刻情報を調節する（自動開放時刻や自動閉鎖時刻を変更する）際に操作される入力部、及び、例えば「決定」といった文字などが付され、調節（変更）した開放時刻情報や閉鎖時刻情報を記憶部５２に更新して記憶させる際に操作される入力部などを有している。使用者は、開閉時刻入力部６２３を操作し、各曜日情報に関連付けられた開放時刻情報及び閉鎖時刻情報をそれぞれ調節することで、排水口１１５の自動開閉が実行される時刻を曜日ごとに適宜設定することができる。
【００６１】
切換入力部６２４は、制御部５３によって、記憶部５２に記憶された開放時刻情報及び閉鎖時刻情報に基づきモータ３２１を制御する機能の有効又は無効を切換えるための入力部である。すなわち、切換入力部６２４は、制御部５３による排水口１１５の自動開閉機能の有効又は無効を切換えるための入力部である。切換入力部６２４は、例えば「自動開閉ＯＮ／ＯＦＦ切換」といった、入力により排水口１１５の自動開閉機能の有効・無効が切換えられることを示す文字などが付された押しボタン等により構成されている。本実施形態では、切換入力部６２４が操作（例えば押圧等）される度に、入力装置６から開閉制御装置５に対し、所定の機能有効信号及び所定の機能無効信号が交互に出力される。
【００６２】
次に、上記のように構成された排水栓システム１の動作について説明する。上記排水栓システム１においては、排水口１１５の自動開閉機能が有効であれば、ある曜日では、この曜日を示す曜日情報と関連付けられた開放時刻情報に対応する時刻（自動開放時刻）になると、制御部５３によってモータ３２１が制御され、排水口１１５が開状態に自動で切換えられる（但し、排水口１１５が既に開状態である場合には、制御部５３によるモータ３２１の制御は行われず、排水口１１５は開状態のままで維持される）。例えば、図７に示すように、日曜日では、日曜日を示す曜日情報に関連付けられた自動開放時刻（例えば、「８：００」）になると、排水口１１５が閉状態である場合、制御部５３によってモータ３２１に電力が供給され、排水口１１５が閉状態から開状態へと自動で切換えられる。
【００６３】
また、排水口１１５の自動開閉機能が有効であれば、ある曜日では、この曜日を示す曜日情報と関連付けられた閉鎖時刻情報に対応する時刻（自動閉鎖時刻）になると、制御部５３によってモータ３２１が制御され、排水口１１５が閉状態に自動で切換えられる（但し、排水口１１５が既に閉状態である場合には、排水口１１５は閉状態で維持される）。例えば、日曜日では、日曜日を示す曜日情報に関連付けられた自動閉鎖時刻（例えば、「１７：００」）になると、排水口１１５が開状態である場合、制御部５３によってモータ３２１に電力が供給され、排水口１１５が開状態から閉状態へと自動で切換えられる。
【００６４】
さらに、その他の曜日では、その曜日を示す曜日情報と関連付けられた自動開放時刻になると、閉状態であった排水口１１５は自動で開状態に切換えられ、その曜日を示す曜日情報と関連付けられた自動閉鎖時刻になると、開状態であった排水口１１５は自動で閉状態に切換えられる。例えば、月曜日では、月曜日を示す曜日情報に関連付けられた自動開放時刻（例えば、「６：００」）になると、閉状態であった排水口１１５は開状態に自動で切換えられ、月曜日を示す曜日情報に関連付けられた自動閉鎖時刻（例えば、「１９：００」）になると、開状態であった排水口１１５は閉状態に自動で切換えられる。
【００６５】
尚、上記排水栓システム１では、上記のような排水口１１５の自動開閉とは別に、図８に示すように、操作ボタン３５に対する押圧操作により、排水口１１５の開閉状態を手動で切換えることも可能である。
【００６６】
以上詳述したように、本実施形態によれば、開放時刻情報に対応する時刻（自動開放時刻）となったときに排水口１１５を自動的に開状態とすることができるとともに、閉鎖時刻情報に対応する時刻（自動閉鎖時刻）となったときに排水口１１５を自動的に閉状態とすることができる。従って、浴槽１１０への貯水や浴槽１１０からの排水を行う都度、排水口１１５の開閉状態を切換えるための操作を使用者が行う必要がなくなる。また、時刻に応じて排水口１１５の開閉状態を設定可能となるため、浴槽１１０に対する水の供給予定時や入浴予定時に対応する時間では排水口１１５を閉状態とし、一方、これら以外の時間では排水口１１５を開状態として浴槽１１０から水を排出可能な状態とするといったことが可能となる。つまり、排水口１１５の開閉状態を使用者にとって適切な（都合のよい）状態に自動的に切換えることができる。さらに、人為的なミスによって排水口１１５の開閉状態が不適切な状態となってしまうこと（例えば、浴槽１１０に対する水の供給時に排水口１１５が開状態となっていること等）をより確実に防止できる。これらの結果、使用者にとっての利便性を飛躍的に高めることができる。
【００６７】
また、排水栓システム１は、給湯器システム１２１とは別に独立して設けられている。そのため、給湯器システム１２１を交換することなく、既存の浴槽１１０に対応して排水栓システム１を追加設置することが容易に可能となる。また、排水栓システム１に異常が生じた場合に、給湯器システム１２１をそのままにしつつ、排水栓システム１に対し交換や修理などのメンテナンスを行うことができるため、非常に都合がよい。
【００６８】
さらに、本実施形態では、曜日ごとに異なる時刻で排水口１１５を開閉させることができる。従って、使用者の生活スタイルにより合わせた適切な時刻に排水口１１５の開閉を行うことが可能となる。これにより、使用者にとっての利便性をより向上させることができる。
【００６９】
加えて、切換入力部６２４に対する操作により、任意で排水口１１５の自動開閉機能をオン又はオフとすることができる。従って、使用者の都合に応じて排水口１１５の自動開閉機能を一時的に停止させること等が可能となり、利便性の更なる向上を図ることができる。
【００７０】
尚、上記実施形態の記載内容に限定されず、例えば次のように実施してもよい。勿論、以下において例示しない他の応用例、変更例も当然可能である。
【００７１】
（ａ）上記実施形態において、排水栓システム１は、給湯器システム１２１とは別に独立して設けられているが、給湯器システム１２１以外の浴槽１１０又は浴室１０３に対し所定の動作を行うシステムとは別に独立して設けられるように構成してもよい。このようなシステムとしては、浴室暖房、浴室乾燥又は浴槽洗浄などを行うためのシステム、給湯、浴室暖房、浴室乾燥又は浴槽洗浄などを行うための複数の装置を包括して制御するＨＡコントロールシステム等を挙げることができる。
【００７２】
（ｂ）上記実施形態において、開放時刻情報及び閉鎖時刻情報は、各曜日情報に対しそれぞれ１つずつ設定記憶されているが、各曜日情報に対しそれぞれ複数の開放時刻情報及び閉鎖時刻情報を設定記憶可能に構成してもよい。このように構成した場合には、排水口１１５の自動開閉を１日の間に複数回行うことが可能となり、使用者にとっての利便性をより高めることができる。
【００７３】
（ｃ）上記実施形態では、各曜日情報に対応して開放時刻情報及び閉鎖時刻情報がそれぞれ設定記憶され、排水口１１５の自動開閉を曜日ごとに異なる時刻で実行可能に構成されているが、曜日情報とは無関係に開放時刻情報及び閉鎖時刻情報が設定記憶され、常に一定の時刻で排水口１１５の自動開閉が行われるように構成してもよい。勿論、この場合においても、それぞれ複数の開放時刻情報及び閉鎖時刻情報を設定記憶可能とし、排水口１１５の自動開閉を１日の間に複数回行うことが可能となるように構成してもよい。
【００７４】
（ｄ）上記実施形態における排水栓装置２の構成はあくまで一例であって、排水栓装置は、通電動作部に対する通電により上下動して排水口を開閉可能な栓蓋を有するものであればよい。例えば、排水栓装置は、伝達部材４の往復移動により回動可能な回動体と、当該回動体の回転により上下動可能であるとともに栓蓋を直接又は間接的に支持する支持部とを備えるものであってもよい。
【００７５】
また、上記実施形態における電動操作装置３の構成もあくまで一例であり、電動操作装置は、通電動作部に対する通電により栓蓋を上下動させることが可能なものであればよい。例えば、電動操作装置は、通電動作部としてのモータと、当該モータの動作により回転可能な歯車と、当該歯車に噛合され当該歯車の回転により往復移動可能なラックとを備え、当該ラックの往復移動により伝達部材４が往復移動するものであってもよい。
【００７６】
さらに、上記実施形態では、通電動作部としてモータ３２１を挙げているが、通電動作部として、モータ以外の通電により動作する製品（例えばソレノイドなど）を採用してもよい。
【００７７】
（ｅ）電動操作装置の配置位置に関しては特に限定されるものではない。従って、例えば、電動操作装置を、天井１０２の上面や側壁１０１の裏面（浴槽１１０の配置空間とは反対側に位置する面）、フランジ部１１３よりも下方位置などに配置してもよい。
【００７８】
また、上記実施形態において、開閉制御装置５は天井１０２の上面に配置されているが、開閉制御装置５の配置位置は特に限定されるものではない。従って、側壁１０１の裏面（浴槽１１０の配置空間とは反対側に位置する面）などに開閉制御装置５を配置してもよい。
【００７９】
（ｆ）上記実施形態における排水栓システム１は、操作ボタン３５を具備しており、排水口１１５の開閉状態を手動で切換可能に構成されているが、手動による開閉状態の切換え機能を備えないものであってもよい。
【００８０】
（ｇ）上記実施形態では、栓蓋２４が排水口部材２１に接触することで、排水口１１５が閉状態となるように構成されているが、栓蓋２４が底壁部１１１と接触することで、排水口１１５が閉状態となるように構成してもよい。
【符号の説明】
【００８１】
１…排水栓システム、６…入力装置（入力手段）、２４…栓蓋、３２…駆動機構（駆動部）、５２…記憶部（記憶手段）、５３…制御部（制御手段）、１０３…浴室、１１０…浴槽、１１５…排水口、１２１…給湯器システム（システム）、３２１…モータ（通電動作部）、６２４…切換入力部。
【図１】
2020133135.tif 000003
【図２】
2020133135.tif 000004
【図３】
2020133135.tif 000005
【図４】
2020133135.tif 000006
【図５】
2020133135.tif 000007
【図６】
2020133135.tif 000008
【図７】
2020133135.tif 000009
【図８】
2020133135.tif 000010